(57)【要約】【課題】  誰もが日頃から身に付けている携帯に便利なハンカチに何らかの手を加えることで従来の限られた機能にプラス多目的な利用価値をもったハンカチとして提供すること。【解決手段】    従来のハンカチ周囲にワイヤー（３）を入れ、リバーシブルにし、尚且つリバーシブル側（裏）を使用目的に応じアルミ（ｂ−２）を使うことで形状を維持しながら保冷・保温性のある多目的ハンカチとする。又、ハンカチの素材を使用目的に応じてパイル生地（ｂ−１）にすることで形状を維持しながら保冷・保温性があり吸収性に富んだ多目的ハンカチとして提供できる。【選択図】図５
2005213714.tif 000002
【特許請求の範囲】
【請求項１】
ハンカチの周囲にワイヤーを入れることによって形状保持の可能な万能ハンカチ。
【請求項２】
ハンカチがリバーシブルであることを特徴とする請求項１記載の万能ハンカチ。
【請求項３】
前記のハンカチにアルミを縫い合わせたことを特徴とする請求項１記載の万能ハンカチ。
【請求項４】
前記のハンカチの表側にパイル生地を設け裏側にアルミを縫い合わせたことを特徴とする請求項１記載の万能ハンカチ。
【発明の詳細な説明】
【技術分野】
【０００１】  本発明は、従来のハンカチとしての機能はもちろんワイヤーを入れることで形を保ち、保冷・保温性のあるアルミを使い、又用途に合わせて素材を代えることで多目的な利用価値のある万能ハンカチに関する。
【背景技術】
【０００２】  従来のハンカチは手や汗を拭いたり、時にはお弁当を包んだりめがねを拭いたりと限られた機能しかもっていない。我々はこのハンカチを身に付けることが習慣付いている。我々が常に身に付けているこのコンパクトで携帯しやすいハンカチに何らかの工夫を施し多目的に利用できるハンカチが開発されればとても便利である。【０００３】  従来のハンカチには異なる機能の２種類の布を縫い合わせためがね拭き付ハンカチがある。（例えば、特許文献１参照）
又、弁当等の包装用として止着手段を別途設ける必要がなく使用できる、少なくても２箇所にコーナー部を有する手巾本体の一角のコーナー部に紐体を取り付けその先端部と隣接する他のコーナー部に相互に止着手段が設けられたハンカチがある。（例えば、実用新案文献１参照）
【特許文献１】特開平１１−８１００４
【実用新案文献１】
実開平５−２９９６２
【発明の開示】
【発明が解決しようとする課題】
【０００４】  誰もが日頃から身に付けている携帯に便利なハンカチをたった１枚身に付けることで、従来の限られた機能により多くの利用価値を加えたハンカチを提供することを目的としている。
【課題を解決するための手段】
【０００５】  本発明の要旨とするところは、ハンカチの周囲にワイヤーを入れることによって形状保持を可能にする万能ハンカチである。【０００６】  又、本発明の要旨とするところは、ハンカチをリバーシブルにすることにある。【０００７】  又、本発明の要旨とするところは、前記のハンカチに保冷・保温性のあるアルミを縫い合わせることにある。【０００８】  又、本発明の要旨とするところは、使用目的に応じ前記のハンカチの表側にパイル生地を設け裏側にアルミを縫い合わせることにある。
【発明の効果】
【０００９】  通常は従来のハンカチと同様携帯し、手を拭いたり・顔を拭いたり・汗を拭いたりと使用する。時にはめがねケースとして使用したり、友達へのプレゼントのラッピング代わりに包みとして使用したり、アルミの付いているハンカチでお弁当やおにぎりを包んだり、夏の暑いときは凍らしたジュース、冬の寒いときには暖かくした飲み物を包み保管したりする。又、赤ちゃんを連れて出掛けるときこの万能ハンカチを持っていればよだれ拭き、よだれかけに使ったり哺乳瓶を万能ハンカチで包むことでミルクを保温しながら持ち歩いたりすることが出来る。【００１０】  使い慣れたハンカチをリバーシブルにすることで従来の携帯のしやすさ・コンパクトさに加え（裏も使えるので）吸水力が増す。又、使わないときは通常（従来）のハンカチとして携帯でき、邪魔にならなく、使いたい時のみ使いたい機能を使うことが出来るのでとても便利である。【００１１】  ワイヤーをハンカチの周囲に入れることで四隅を結ぶことなく容易に形を保持することが出来る。物を簡単に包むことが出来る。【００１２】  アルミを使用することで保冷・保温性がアップする。また外からの刺激・衝撃から品物を守ることが出来る。【００１３】  使用目的に応じパイル生地を使うことで吸収性を高め、また肌に刺激を抑えて使用することが出来る。
【発明を実施するための最良の形態】
【００１４】  ハンカチの周囲にワイヤーを入れて形状を保つ物とし、かつハンカチをリバーシブルに構成したもの、あるいはハンカチにアルミを縫い合わせたものである。
【実施例】
【００１５】  本発明の実施例を説明すると、縫製の例としては図１に示すようにハンカチの表（ａ−１）ハンカチの裏（ａ−２）のように布を２枚縫い合わせる。また、図６に示すように使用目的に応じ吸水力のあるパイル生地（ｂ−１）を縫い合わせたり、保温・保冷性のあるアルミ（ｂ−２）を縫い合わせたりする。図２に示すように２枚の布を縫い合わせたハンカチの周囲に、形状保持可能なワイヤー（３）を入れてハンカチを構成する。【００１６】  使用に際しては、特に女性は小さなバックで出掛ける際外出先でめがねを外す可能性があるがめがねケースがバックに入らないときなど万能ハンカチを持っていればめがねケース代わりに使うことが出来る。【００１７】  おにぎり（４）やお弁当（５）を持って出掛けるとき、図４・図５に示すようにおにぎり（４）や弁当箱（５）を万能ハンカチで包むと保温性があり四隅を結ぶ事なく簡単に包むことが出来る。【００１８】  夏の暑い時期、凍らせたペットボトルを持って出掛ける時万能ハンカチで包むと保冷したまま持ち歩くことが出来る。又、使い終わったら通常のハンカチとして使うことが出来る。【００１９】  冬の寒い時期、外出先で暑い飲み物を買って飲む時熱すぎて手で持てない事がある。そんな時このアルミ付きワイヤー（３）入りハンカチで包むと熱さも回避でき保温しながら持ち歩くことが出来る。【００２０】  ミルクが必要な赤ちゃんを連れて出掛ける時、図６に示すパイル生地（ｂ−１）を縫い合わせた万能ハンカチを持って出掛けると、形態にも便利で保温性のある哺乳瓶（６）包みとして使用でき、よだれ拭き、図７に示すよだれかけとしても使用出来る。
【図面の簡単な説明】
【図１】両面に布を縫い合わせたリバーシブルの万能ハンカチの図
【図２】ハンカチの周囲に形状を保持出来るワイヤーを入れた図
【図３】両面に布を縫い合わせたリバーシブルのハンカチにワイヤーを入れた図
【図４】万能ハンカチの使い方の一例を示す図
【図５】万能ハンカチの使い方の一例を示す図
【図６】万能ハンカチの使い方の一例を示す図
【図７】万能ハンカチの使い方の一例を示す図で赤ちゃんのよだれかけとして使った図
【符号の説明】
ａ−１ハンカチの表
ｂ−１ハンカチの素材（パイル生地）
ａ−２ハンカチの裏（両面使えるようにリバーシブルに）
ｂ−２保温・保冷性のあるアルミ
３形状を保持するワイヤー
４おにぎり
５弁当箱
６哺乳瓶
【図１】
2005213714.tif 000003
【図２】
2005213714.tif 000004
【図３】
2005213714.tif 000005
【図４】
2005213714.tif 000006
【図５】
2005213714.tif 000007
【図６】
2005213714.tif 000008
【図７】
2005213714.tif 000009